(57)【要約】【課題】  コネクタが１部品を形成する電子装置の電磁シールドに貢献するリテーナクリップを提供する。【解決手段】  リテーナクリップ１０は、一方の電気コネクタの自由端を受け入れるように形成された開口１２を有する長方形のベース１１から構成される。一対のロックタブ１３，１４は、ベースと一体に成形され、開口の一端を横切って部分的に突出し、他方の電気コネクタの止め金に係合する。弾性変形可能な複数の弾性指片１５は、ベースから上方に突出するように一体成形され、狭いスロット１６によって付近から分離され、第１部分１７と第２部分（弧状部分）１８とから構成される。各弾性指片は、一方の電気コネクタの表面と接触するとき、一方の電気コネクタの通過を許容するように移動可能である。各弾性指片１５は、一方の電気コネクタを広い表面積にわたってグラウンドする役割を営む。【選択図】  図３
2005063971.tif 000002
【特許請求の範囲】
【請求項１】
パネルに形成された開口に挿入されるコネクタを保持するためのリテーナクリップにおいて、
前記リテーナクリップは、前記コネクタの自由端を受け入れるための開口、及び、前記コネクタと係合し、かつ、保持するための１以上の係合手段を有するベースから構成され、
前記ベースは、前記ベースが横たわる前記パネルの表面の少なくとも一部分と接触するように形成され、
前記ベースから延出する複数の弾性指片は、相手側コネクタの挿入を許容し、かつ、前記相手側コネクタの表面に接触するように変位可能であり、
前記リテーナクリップは、前記パネルに関して前記相手側コネクタの表面をシ−ルドすることを特徴とするコネクタ用リテーナクリップ。
【請求項２】
前記ベースは、実質的に平面状であることを特徴とする請求項１記載のコネクタ用リテーナクリップ。
【請求項３】
前記ベースは、各ブリッジ部材によって前記リテーナクリップにおける開口の周囲に配設される複数の切片から構成されることを特徴とする請求項１又は２記載のコネクタ用リテーナクリップ。
【請求項４】
前記複数の弾性指片の１以上は、前記ブリッジ部材から構成されることを特徴とする請求項３記載のコネクタ用リテーナクリップ。
【請求項５】
前記複数の弾性指片は、前記リテーナクリップの開口上の空間に向かって付勢されていることを特徴とする請求項１，２，３又は４記載のコネクタ用リテーナクリップ。
【請求項６】
前記係合手段は、前記リテーナクリップの開口に突出する１以上のロックタブから構成されることを特徴とする請求項１，２，３，４又は５記載のコネクタ用リテーナクリップ。
【請求項７】
前記ベースは長方形の形状に構成され、前記長方形の対向する両短辺から単一の弾性変形可能な平板が延出することを特徴とする請求項１，２，３，４，５又は６記載のコネクタ用リテーナクリップ。
【発明の詳細な説明】
【技術分野】
【０００１】
本発明は、コネクタ用リテーナクリップに関し、詳しく述べると、サーバ又は他の電子装置を有するコンピュータのケーシングにおける開口を貫通して搭載される電気コネクタのような装置を確保するために使用されるリテーナ用クリップに関する。
【背景技術】
【０００２】
コンピュータのケーシングの開口に位置する従来の電気コネクタを保持するために、ケーシングの表面に接続し、また、開口を越えて突出する電気コネクタの一端と係合するペアのＣ形状のクリップを使用することは、周知である。
【０００３】
従来の技術の交換可能なリテーナクリップについて図１を参照して説明する（例えば、特許文献１参照。）。このリテーナクリップは、図１に従来の電気コネクタと組み合わされて図示されている。
【０００４】
リテーナクリップは、電気コネクタ３の自由端を受入れるための開口２を有する単一の平面状部材１と複数のロックタブ４，５とから構成される。
【０００５】
パネル７の中央には、長方形の開口８が形成される。
【０００６】
電気コネクタ３が開口８に挿入された後、各ロックタブ４，５は、矢印Ａの方向にスライド運動することによって、電気コネクタ３の表面に設けられている止め金６に係合するように配設される。
【０００７】
【特許文献１】米国特許第６５１３２０６号明細書（第２欄第１６行−第５９行、図１）
【発明の開示】
【発明が解決しようとする課題】
【０００８】
本発明は、従来のリテーナクリップの改良を図るものであり、詳しく述べると、コネクタが１部品を形成する電子装置の電磁シールドに貢献するリテーナクリップを提供しようとするものである。
【課題を解決するための手段】
【０００９】
本発明は、前記課題を解決するため、次の手段を採用する。
【００１０】
１．パネルに形成された開口に挿入されるコネクタを保持するためのリテーナクリップにおいて、前記リテーナクリップは、前記コネクタの自由端を受け入れるための開口、及び、前記コネクタと係合し、かつ、保持するための１以上の係合手段を有するベースから構成され、前記ベースは、前記ベースが横たわる前記パネルの表面の少なくとも一部分と接触するように形成され、前記ベースから延出する複数の弾性指片は、相手側コネクタの挿入を許容し、かつ、前記相手側コネクタの表面に接触するように変位可能であり、前記リテーナクリップは、前記パネルに関して前記相手側コネクタの表面をシ−ルドするコネクタ用リテーナクリップ。
【００１１】
２．前記ベースは、実質的に平面状である前記１記載のコネクタ用リテーナクリップ。
【００１２】
３．前記ベースは、各ブリッジ部材によって前記リテーナクリップにおける開口の周囲に配設される複数の切片から構成される前記１又は２記載のコネクタ用リテーナクリップ。
【００１３】
４．前記複数の弾性指片の１以上は、前記ブリッジ部材から構成される前記３記載のコネクタ用リテーナクリップ。
【００１４】
５．前記複数の弾性指片は、前記リテーナクリップの開口上の空間に向かって付勢されている前記１，２，３又は４記載のコネクタ用リテーナクリップ。
【００１５】
６．前記係合手段は、前記リテーナクリップを貫通して前記開口に突出する１以上のロックタブから構成される前記１，２，３，４又は５記載のコネクタ用リテーナクリップ。
【００１６】
７．前記ベースは長方形の形状に構成され、前記長方形の対向する両短辺から単一の弾性変形可能な平板が延出する前記１，２，３，４，５又は６記載のコネクタ用リテーナクリップ。
【発明の効果】
【００１７】
明細書の説明から明らかなように、本発明は、次の効果を奏する。
【００１８】
１．リテーナクリップの各弾性指片又は各平板は、弾性変形可能であるため、コネクタのリテーナクリップに対する着脱を簡便に行うことができる。また、コネクタがリテーナクリップから不所望に離脱することを確実に防止できる。
【００１９】
２．各弾性指片又は各平板は、電子装置から電磁放射の漏洩を防止する電磁放射シールドとしての機能も営む。
【００２０】
３．リテーナクリップは、単一の金属製シートを打ち抜き、折曲されることによって、製作される。したがって、製作が容易で、構造が簡素であり、また、製作コストが安価である。
【発明を実施するための最良の形態】
【００２１】
本発明の３つの実施例のリテーナクリップについて説明する。
【実施例１】
【００２２】
本発明の実施例１について図２〜４を参照して説明する。リテーナクリップ１０は、一方の電気コネクタの自由端を受け入れるように形成された開口１２を有する長方形のベース１１から構成される。ベース１１は、ベース１１が横たわるコンピュータのような電子装置用ケーシングの外側表面の少なくとも一部分に接触し、また、ケーシングに関してリテーナクリップ１０をグラウンドする。故に、ケーシングのパネルが平面であれば、ベース１１も同様に平面である。一対のロックタブ１３，１４の形状の係合手段は、ベース１１と一体であることが好ましく、また、開口１２の一端を横切って部分的に突出する。各ロックタブ１３，１４は、従来の他方の電気コネクタに備えられている止め金に係合するように形成される。他方の電気コネクタの止め金に対する各ロックタブ１３，１４の係合は、他方の電気コネクタに関するリテーナクリップ１０のわき道的な運動によって行われる。
【００２３】
従来の一方の電気コネクタの自由端を受け入れるように形成されるケージの壁を構成する弾性変形可能な複数の弾性指片１５は、ベース１１から上方に突出するように一体成形される。各弾性指片１５は、狭いスロット１６によってベース１１付近から分離され、第１部分１７と第２部分１８とから構成される。第１部分１７は、ベース１１に対して実質的に垂直に延出し、第２部分１８は、第１部分１７から第２部分１８の自由端までの方向に弧状を呈する。第２部分１８は、最初に開口１２上の領域まで湾曲し、次に、この領域から隔離する。このようにして、各弧状部分１８の湾曲した表面は、一方の電気コネクタの自由端に対する接触表面として役割を営む。各弾性指片１５は、リテーナクリップ１０の両長辺に沿って、また、リテーナクリップ１０の両短辺に交差して延出する。リテーナクリップ１０の両短辺の弾性指片１５は、全体として随意であると解される。
【００２４】
各弾性指片１５は、一方の電気コネクタの表面と接触するとき、一方の電気コネクタの通過を許容するように移動可能である。各弾性指片１５は、開口１２の直上の空間に向かって付勢されていることが好ましく、しかし、一方の電気コネクタに接触するのに十分に弾性変形可能である。各弾性指片１５は、一方の電気コネクタの通過を許容するために、外側にたわむことができる。各弾性指片１５の弧状部分１８の結果として、各弾性指片１５は、開口１２を貫通して挿入される一方の電気コネクタとの接触を保持する。また、一方の電気コネクタが所定の位置にロックされると、各弾性指片１５は、不規則な形状の一方の電気コネクタの表面上に規則的な接触を維持することができる。各弾性指片１５の幅と長さは、一方の電気コネクタに対して各弾性指片１５によって適用される接触力に依拠して選定される。リテーナクリップ１０の各弾性指片１５は一方の電気コネクタを広い表面積にわたってグラウンドする役割を営み、ベース１１は電子装置に対してケーシングを接触させ、リテーナクリップ１０はケーシングに関して一方の電気コネクタをグラウンドする役割を営む。このようにして、各弾性指片１５は、電子装置から電磁放射の漏洩を防止する電磁放射シールドとして機能する。電子装置の電気コネクタは、外部の電磁放射に対するシールドの役割を果たす。
【実施例２】
【００２５】
本発明の実施例２について図５〜７を参照して説明する。このリテーナクリップ１０′は、図２〜４に示されるリテーナクリップ１０に著しく類似するので、参照符号は、プライムを付して表示する。２つのリテーナクリップ１０，１０′の主要な相違は、弾性変形可能な各弾性指片１５′の各側の第１部分１７′に延出するベース１１′に複数のスロット１９′が設けられることである。これらのスロット１９′は、リテーナクリップ１０における連続的なベース１１を遮断する。このようにして、このリテーナクリップ１０′において、ベース１１′は、ベース１１′の分離切片を保持するためにブリッジ部材として役割を営む各弾性指片１５′を伴って開口１２′を包囲する複数の分離切片から構成される。
【００２６】
前述したリテーナクリップ１０，１０′は、単一の金属製シートがプレスにより打ち抜き加工され、折曲されることによって、製作されることが好ましい。この構造の簡素さは、製作コストの最小化に貢献する。
【００２７】
本発明のリテーナクリップは、コンピュータのような電子装置のケーシングにおける開口を貫通して挿入される電気コネクタを保持するためのロック機構と、ケーシングの外側表面に電気コネクタを広い表面積にわたってグラウンドすることにより電磁シールドを提供する。
【００２８】
前述したリテーナクリップに対する変更は、添付の特許請求の範囲のみによって範囲が限定される本発明からはずれずに観察される。
【実施例３】
【００２９】
本発明の実施例３について図８〜図１０を参照して説明する。実施例３についての説明は、実施例１と同様な点の説明を省略し、相違する点の説明を行う。
【００３０】
実施例１におけるベース１１の両短辺の各弾性指片１５の間には、スロット２０が形成されている。これに対して、実施例３におけるベース１１″の両短辺の弾性変形可能な平板１５″には、図８に示されるように、スロットが形成されていない。したがって、実施例３の各平板１５″は、実施例１の各弾性指片１５よりも弾性的に変形し難い。
【００３１】
実施例３のリテーナクリップ１０″とプラグコネクタ２１とパネル３１との力学関係について図９と図１０を参照して説明する。
【００３２】
リテーナクリップ１０″は、パネル３１の開口３２に装着されているが、図９では、プラグコネクタ２１は、まだ、リテーナクリップ１０″に挿入されていない。
【００３３】
図９におけるリテーナクリップ１０″にプラグコネクタ２１を挿入すると、図１０に示される状態に至る。プラグコネクタ２１は、各平板１５″に力Ｆ１，Ｆ２を矢印方向に加える。すると、リテーナクリップ１０″のＡ，Ｂ，Ｃ，Ｄの４点には、それぞれ力Ｆ３，Ｆ４，Ｆ５，Ｆ６が矢印方向に発生する。Ｆ３，Ｆ４は、リテーナクリップ１０″がパネル３１を押す力である。Ｆ５，Ｆ６は、リテーナクリップ１０″がプラグコネクタ２１を押す力である。これらのＦ１〜Ｆ６の力によって、プラグコネクタ２１とリテーナクリップ１０″とパネル３１とレセプタクルコネクタ４１とは、電気的に接続されてグラウンドされる。
【００３４】
（リテーナクリップの装着構造の説明）
リテーナクリップ１０の装着構造の詳細について図１１と図１２を参照して説明する。
【００３５】
図１２において、レセプタクルコネクタ４１の上面からシールドカバー４２を装着し、レセプタクルコネクタ４１の前面からガスケット４３をはめ込む。この後、レセプタクルコネクタ４１をパネル３１の開口３２にパネル３１の裏面から挿入し、リテーナクリップ１０を開口３２にパネル３１の前面から挿入する。図１１に示される状態において、プラグコネクタ２１をリテーナクリップ１０に挿入する。
【図面の簡単な説明】
【００３６】
【図１】従来のリテーナクリップと電気コネクタとパネルの分解された状態の斜視図である。
【図２】本発明の実施例１のリテーナクリップを前面側から見た斜視図である。
【図３】図２のリテーナクリップを背面側から見た斜視図である。
【図４】図２，３のリテーナクリップの一面側から見た平面図である。
【図５】本発明の実施例２のリテーナクリップを前面側から見た斜視図である。
【図６】図５のリテーナクリップを背面側から見た斜視図である。
【図７】図５，６のリテーナクリップを一面側から見た平面図である。
【図８】本発明の実施例３のリテーナクリップの斜視図である。
【図９】図８のリテーナクリップとレセプタクルコネクタがパネルに装着された状態の断面図である。
【図１０】図９の状態のリテーナクリップにプラグコネクタが挿入された状態の断面図である。
【図１１】図２のリテーナクリップとレセプタクルコネクタがパネルに装着され、プラグコネクタがこのリテーナクリップに挿入される前の状態の斜視図である。
【図１２】図２のリテーナクリップ、レセプタクルコネクタ、シールドカバー、ガスケット及びパネルの分解斜視図である。
【符号の説明】
【００３７】
１０，１０′，１０″  リテーナクリップ
１１，１１′，１１″  ベース
１２，１２′  開口
１３，１３′  ロックタブ
１４，１４′  ロックタブ
１５，１５′  弾性指片
１５″  平板
１６，１６′  スロット
１７，１７′  第１部分
１８，１８′  第２部分（弧状部分）
１９′  スロット
２０  スロット
２１  プラグコネクタ
３１  パネル
３２  開口
４１  レセプタクルコネクタ
４２  シールドカバー
４３  ガスケット
【図１】
2005063971.tif 000003
【図２】
2005063971.tif 000004
【図３】
2005063971.tif 000005
【図４】
2005063971.tif 000006
【図５】
2005063971.tif 000007
【図６】
2005063971.tif 000008
【図７】
2005063971.tif 000009
【図８】
2005063971.tif 000010
【図９】
2005063971.tif 000011
【図１０】
2005063971.tif 000012
【図１１】
2005063971.tif 000013
【図１２】
2005063971.tif 000014